(57)【要約】【課題】複数の露出芯線部同士の接合強度を簡易に向上できるようにすることを目的とする。【解決手段】複数の電線の集合体１０は、第１芯線２２と第１芯線２２を被覆する第１被覆部２４とを含み、第１芯線２２の一部が第１被覆部２４から露出する第１露出芯線部２３とされた第１電線２０と、第２芯線３２と第２芯線３２を被覆する第２被覆部３４とを含み、第２芯線３２の一部が第２被覆部３４から露出する第２露出芯線部３３とされた第２電線３０とを備える。第１露出芯線部２３が間に第２露出芯線部３３を配設するように曲げられた状態で、第１露出芯線部２３と第２露出芯線部３３とが接合されている。【選択図】図１
2017076497.tif 000002
【特許請求の範囲】
【請求項１】
第１芯線と前記第１芯線を被覆する第１被覆部とを含み、前記第１芯線の一部が前記第１被覆部から露出する第１露出芯線部とされた第１電線と、
第２芯線と前記第２芯線を被覆する第２被覆部とを含み、前記第２芯線の一部が前記第２被覆部から露出する第２露出芯線部とされた第２電線と、
を備え、
前記第１露出芯線部が間に前記第２露出芯線部を配設するように曲げられた状態で、前記第１露出芯線部と前記第２露出芯線部とが接合されている、複数の電線の集合体。
【請求項２】
請求項１に記載の複数の電線の集合体であって、
前記第１芯線と前記第２芯線の一方が銅製又は銅合金製であり、他方がアルミニウム製又はアルミニウム合金製であり、
前記第１露出芯線部と前記第２露出芯線部とが超音波溶接されている、複数の電線の集合体。
【請求項３】
請求項１又は請求項２に記載の複数の電線の集合体であって、
前記第１露出芯線部が曲げ返し部と前記曲げ返し部に連なる２つの直線部とを含み、前記２つの直線部が前記第２露出芯線部を挟んだ状態で、前記第１露出芯線部と前記第２露出芯線部とが接合されている、複数の電線の集合体。
【請求項４】
請求項３に記載の複数の電線の集合体であって、
前記第２露出芯線部が曲げ返し部と前記曲げ返し部に連なる２つの直線部とを含み、前記第２露出芯線部の前記２つの直線部が前記第１露出芯線部を挟んだ状態で、前記第１露出芯線部と前記第２露出芯線部とが接合されている、複数の電線の集合体。
【請求項５】
請求項１又は請求項２に記載の複数の電線の集合体であって、
前記第１露出芯線部が前記第２露出芯線部周りで螺旋状に曲げられた状態で、前記第１露出芯線部と前記第２露出芯線部とが接合されている、複数の電線の集合体。
【請求項６】
請求項１又は請求項２に記載の複数の電線の集合体であって、
前記第１露出芯線部が並列状に配設された３つ以上の直線部を含むように複数の曲げ返し部で曲げられた形状に形成され、
前記第２露出芯線部が並列状に配設された３つ以上の直線部を含むように複数の曲げ返し部で曲げられた形状に形成され、
前記第１露出芯線部の３つ以上の直線部と前記第２露出芯線部の３つ以上の直線部とが編目状に交差し、かつ、前記第１露出芯線部の３つ以上の直線部のうちの少なくとも２つの間に前記第２露出芯線部の３つ以上の直線部のうちの少なくとも１つが配設された状態で、前記第１露出芯線部と前記第２露出芯線部とが接合されている、複数の電線の集合体。
【請求項７】
第１芯線と前記第１芯線を被覆する第１被覆部とを含み、前記第１芯線の一部が前記第１被覆部から露出する第１露出芯線部とされた第１電線と、第２芯線と前記第２芯線を被覆する第２被覆部とを含み、前記第２芯線の一部が前記第２被覆部から露出する第２露出芯線部とされた第２電線とを接続する複数の電線の集合体の製造方法であって、
(a)前記第１露出芯線部を、間に前記第２露出芯線部を配設するように曲げる工程と、
(b)前記工程(a)によって曲げられた前記第１露出芯線部の間に前記第２露出芯線部が配設された状態で、前記第１露出芯線部と前記第２露出芯線部とを接合する工程と、
を備える複数の電線の集合体の製造方法。
【発明の詳細な説明】
【技術分野】
【０００１】
この発明は、複数の電線の露出芯線部同士を接続する技術に関する。
【背景技術】
【０００２】
特許文献１は、アルミ導体と銅導体とを高い固着力で接続するため、銅導体がアルミ導体を包囲した状態で、銅導体とアルミ導体とを超音波接続する技術を開示している。
【先行技術文献】
【特許文献】
【０００３】
【特許文献１】特開２０１０-１１３９４６号公報
【発明の概要】
【発明が解決しようとする課題】
【０００４】
しかしながら、特許文献１では、銅導体中にアルミ導体を挿入して、銅導体の複数の銅素線がアルミ導体を包囲した状態とする必要がある。このような作業は繁雑で、作業性が悪く、コストアップに繋がる恐れがある。
【０００５】
そこで、本発明は、複数の露出芯線部同士の接合強度を簡易に向上できるようにすることを目的とする。
【課題を解決するための手段】
【０００６】
上記課題を解決するため、第１の態様に係る複数の電線の集合体は、第１芯線と前記第１芯線を被覆する第１被覆部とを含み、前記第１芯線の一部が前記第１被覆部から露出する第１露出芯線部とされた第１電線と、第２芯線と前記第２芯線を被覆する第２被覆部とを含み、前記第２芯線の一部が前記第２被覆部から露出する第２露出芯線部とされた第２電線と、を備え、前記第１露出芯線部が間に前記第２露出芯線部を配設するように曲げられた状態で、前記第１露出芯線部と前記第２露出芯線部とが接合されているものである。
【０００７】
第２の態様は、第１の態様に係る複数の電線の集合体であって、前記第１芯線と前記第２芯線の一方が銅製又は銅合金製であり、他方がアルミニウム製又はアルミニウム合金製であり、前記第１露出芯線部と前記第２露出芯線部とが超音波溶接されているものである。
【０００８】
第３の態様は、第１又は第２の態様に係る複数の電線の集合体であって、前記第１露出芯線部が曲げ返し部と前記曲げ返し部に連なる２つの直線部とを含み、前記２つの直線部が前記第２露出芯線部を挟んだ状態で、前記第１露出芯線部と前記第２露出芯線部とが接合されているものである。
【０００９】
第４の態様は、第３の態様に係る複数の電線の集合体であって、前記第２露出芯線部が曲げ返し部と前記曲げ返し部に連なる２つの直線部とを含み、前記第２露出芯線部の前記２つの直線部が前記第１露出芯線部を挟んだ状態で、前記第１露出芯線部と前記第２露出芯線部とが接合されているものである。
【００１０】
第５の態様は、第１又は第２の態様に係る複数の電線の集合体であって、前記第１露出芯線部が前記第２露出芯線部周りで螺旋状に曲げられた状態で、前記第１露出芯線部と前記第２露出芯線部とが接合されているものである。
【００１１】
第６の態様は、第１又は第２の態様に係る複数の電線の集合体であって、前記第１露出芯線部が並列状に配設された３つ以上の直線部を含むように複数の曲げ返し部で曲げられた形状に形成され、前記第２露出芯線部が並列状に配設された３つ以上の直線部を含むように複数の曲げ返し部で曲げられた形状に形成され、前記第１露出芯線部の３つ以上の直線部と前記第２露出芯線部の３つ以上の直線部とが編目状に交差し、かつ、前記第１露出芯線部の３つ以上の直線部のうちの少なくとも２つの間に前記第２露出芯線部の３つ以上の直線部のうちの少なくとも１つが配設された状態で、前記第１露出芯線部と前記第２露出芯線部とが接合されているものである。
【００１２】
また、上記課題を解決するため、第７の態様に係る複数の電線の集合体の製造方法は、第１芯線と前記第１芯線を被覆する第１被覆部とを含み、前記第１芯線の一部が前記第１被覆部から露出する第１露出芯線部とされた第１電線と、第２芯線と前記第２芯線を被覆する第２被覆部とを含み、前記第２芯線の一部が前記第２被覆部から露出する第２露出芯線部とされた第２電線とを接続する複数の電線の集合体の製造方法であって、(a)前記第１露出芯線部を、間に前記第２露出芯線部を配設するように曲げる工程と、(b)前記工程(a)によって曲げられた前記第１露出芯線部の間に前記第２露出芯線部が配設された状態で、前記第１露出芯線部と前記第２露出芯線部とを接合する工程と、を備える。
【発明の効果】
【００１３】
第１の態様によると、第１露出芯線部が間に第２露出芯線部を配設するように曲げられた状態で、第１露出芯線部と第２露出芯線部とが接合されているため、第１露出芯線部と第２露出芯線部との接合領域を大きくすることができる。また、第１露出芯線部を間に第２露出芯線部を配設するように曲げる作業は比較的簡易に行える。これにより、第１露出芯線部と第２露出芯線部との接合強度を簡易に向上できる。
【００１４】
銅又は銅合金製の第１露出芯線部とアルミニウム製又はアルミニウム合金製の第２露出芯線部とを超音波溶接した場合、両者の接合強度は弱くなる傾向となる。このような場合において、第１露出芯線部が間に第２露出芯線部を配設するように曲げられた状態で、第１露出芯線部と第２露出芯線部とを超音波溶接することで、第１露出芯線部と第２露出芯線部との接合強度を簡易に向上できる。
【００１５】
第３の態様によると、第１露出芯線部を曲げ返し部で曲げて、２つの直線部間に第２露出芯線部を挟んだ状態で、第１露出芯線部と第２露出芯線部とを接合すればよいため、その接続作業を容易に行える。
【００１６】
第４の態様によると、第２露出芯線部を曲げ返し部で曲げて、第２露出芯線部２つの直線部間に第１露出芯線部を挟んだ状態で、第１露出芯線部と第２露出芯線部とを接合するため、接合強度をより向上できる。
【００１７】
第５の態様によると、第１露出芯線部が第２露出芯線部に巻付いているため、それらの接合強度をより向上できる。
【００１８】
第６の態様によると、第１露出芯線部と第２露出芯線部とを交差させた状態で複数箇所で接合できるため、それらの接合強度をより向上できる。
【００１９】
第７の態様によると、第１露出芯線部が間に第２露出芯線部を配設するように曲げられた状態で、第１露出芯線部と第２露出芯線部とが接合されているため、第１露出芯線部と第２露出芯線部との接合領域を大きくすることができる。また、第１露出芯線部を間に第２露出芯線部を配設するように曲げる作業は比較的簡易に行える。これにより、第１露出芯線部と第２露出芯線部との接合強度を簡易に向上できる。
【図面の簡単な説明】
【００２０】
【図１】実施形態に係る複数の電線の集合体を示す概略側面図である。
【図２】同上の複数の電線の集合体の製造工程を示す説明図である。
【図３】同上の複数の電線の集合体の製造工程を示す説明図である。
【図４】同上の複数の電線の集合体の製造工程を示す説明図である。
【図５】第１露出芯線部と第２露出芯線部との接合前の状態を示す模式図である。
【図６】第１露出芯線部と第２露出芯線部との接合後の状態を示す模式図である。
【図７】第１変形例に係る複数の電線の集合体を示す概略側面図である。
【図８】第２変形例に係る複数の電線の集合体を示す概略側面図である。
【図９】第３変形例に係る複数の電線の集合体を示す概略側面図である。
【図１０】同上の変形例に係る複数の電線の集合体の先端部をその先端側から見た図である。
【図１１】図９のＸＩ−ＸＩ線概略断面図である。
【発明を実施するための形態】
【００２１】
以下、実施形態に係る複数の電線の集合体及びその製造方法について説明する。図１は複数の電線の集合体１０を示す概略側面図である。
【００２２】
この複数の電線の集合体１０は、第１電線２０と、第２電線３０とを備える。
【００２３】
第１電線２０は、第１芯線２２と第１芯線２２を被覆する第１被覆部２４とを備える。
【００２４】
第１芯線２２は、金属によって形成された線状の部材である。第１芯線２２は、複数の素線２２ａの撚り合せ線によって構成されていてもよいし、単芯線によって構成されていてもよいし、ここでは、第１芯線２２は、複数の素線２２ａの撚り合わせ線によって構成されている例で説明する。
【００２５】
第１被覆部２４は、樹脂等の絶縁材料によって形成された部分であり、絶縁材料を第１芯線２２の周囲に押出被覆等することによって形成されている。
【００２６】
第１電線２０の延在方向の一部において第１被覆部２４が剥離されており、これにより、第１芯線２２の延在方向の一部が、第１被覆部２４から露出する第１露出芯線部２３とされている。ここでは、第１電線２０の端部に第１露出芯線部２３が形成されている。
【００２７】
第２芯線３２は、金属によって形成された線状の部材である。第２芯線３２は、複数の素線３２ａの撚り合せ線によって構成されていてもよいし、単芯線によって構成されていてもよいし、ここでは、第２芯線３２は、複数の素線３２ａの撚り合わせ線によって構成されている例で説明する。
【００２８】
第２被覆部３４は、樹脂等の絶縁材料によって形成された部分であり、絶縁材料を第２芯線３２の周囲に押出被覆等することによって形成されている。
【００２９】
第２電線３０の延在方向の一部において第２被覆部３４が剥離されており、これにより、第２芯線３２の延在方向の一部が、第２被覆部３４から露出する第２露出芯線部３３とされている。ここでは、第２電線３０の端部に第２露出芯線部３３が形成されている。
【００３０】
また、第１露出芯線部２３が間に第２露出芯線部３３を配設するように曲げられた状態で、第１露出芯線部２３と第２露出芯線部３３とが接合されている。
【００３１】
ここでは、第１露出芯線部２３は、第２露出芯線部３３よりも長く形成されている。また、第１露出芯線部２３は、Ｕ字状に曲げられている。より具体的には、第１露出芯線部２３は、折返すように曲げられた曲げ返し部２３ａと、当該曲げ返し部２３ａの両端のそれぞれに連なる２つの直線部２３ｂ、２３ｃとを含む。一方の直線部２３ｂは、第２露出芯線部３３と同程度の長さ寸法に設定され、第１被覆部２４内の第１芯線２２と連なっている。他方の直線部２３ｃは、第２露出芯線部３３よりも短い長さ寸法に設定されている。
【００３２】
そして、曲げ返し部２３ａが第２露出芯線部３３の先端側に配設された状態で、２つの直線部２３ｂ、２３ｃが第２露出芯線部３３を間に挟み込むように配設された状態で、第２露出芯線部３３に沿って配設される。この状態で、各直線部２３ｂ、２３ｃの内向き部分が第２露出芯線部３３に接合されている。このため、第１露出芯線部２３と第２露出芯線部３３とは、第２露出芯線部３３の外周のうち対向する２つの直線状の接合領域で接合されることになる。
【００３３】
このように構成された複数の電線の集合体によると、第１露出芯線部２３が間に第２露出芯線部３３を配設するように曲げられた状態で、第１露出芯線部２３と第２露出芯線部３３とが接合されているため、第１露出芯線部２３と第２露出芯線部３３との接合領域を大きくすることができる。このため、第１露出芯線部２３と第２露出芯線部３３との接合強度を向上させることができる。
【００３４】
また、第１露出芯線部２３を曲げて当該第１露出芯線部２３の間に第２露出芯線部３３を配設することによって、第１露出芯線部２３と第２露出芯線部３３との接合領域を大きくしているため、従来のように、銅導体の複数の銅素線を散開させて、アルミ導体を包囲した状態とする作業と比べると、容易な作業であるといえる。このため、第１露出芯線部２３と第２露出芯線部３３との接合強度を簡易に向上できる。
【００３５】
特に、本実施形態では、第１露出芯線部２３を曲げ返し部２３ａで曲げてＵ字状に形成し、２つの直線部２３ｂ、２３ｃ間に第２露出芯線部３３を挟むようにすればよいため、その作業をより容易に行える。
【００３６】
上記複数の電線の集合体１０の製造方法について説明する。
【００３７】
まず、図２に示すように、第１電線２０及び第２電線３０を準備する。上記したように、第１露出芯線部２３の長さ寸法は、第２露出芯線部３３の長さ寸法よりも大きい。
【００３８】
そして、第１露出芯線部２３と第２露出芯線部３３とを並列状態に配設し、第１露出芯線部２３をＵ字状に曲げ、図３に示すように、曲げ返し部２３ａを第２露出芯線部３３の先端側に配設し、２つの直線部２３ｂ、２３ｃの間に第２露出芯線部３３を挟込むようにする。つまり、第１露出芯線部２３を曲げて、当該第１露出芯線部２３の間に第２露出芯線部３３を配設する。そして、図４に示すように、２つの直線部２３ｂ、２３ｃ間に第２露出芯線部３３が挟込まれた加工対象部分４０を、接合装置の２つの接合用ヘッド５０、５２間に配設する。この際、一方の直線部２３ｂが一方の接合用ヘッド５０側に配設され、他方の直線部２３ｃが他方の接合用ヘッド５２側に配設されるようにする。
【００３９】
そして、２つの接合用ヘッド５０、５２により加工対象部分４０を加圧しつつ加工対象部分４０に接合用のエネルギーを付与する。すると、加工対象部分４０を挟込む加圧力が、一方の直線部２３ｂと第２露出芯線部３３との接触部分、及び、他方の直線部２３ｃと第２露出芯線部３３との接触部分に、それらを強く押付合う力として作用した状態で、各接触部分が接合され、第１露出芯線部２３と第２露出芯線部３３とが接合される。
【００４０】
上記接合方法としては、超音波溶接、抵抗溶接等が想定される。接合方法が超音波溶接である場合、２つの接合用ヘッド５０、５２の一方は、超音波振動付与用のホーンであり、他方は加工対象部分４０を受けるアンビルである。接合方法が抵抗溶接である場合、２つの接合用ヘッド５０、５２は、電流を流すための電極である。
【００４１】
図５は第１露出芯線部２３と第２露出芯線部３３との接合前の状態を示す模式図であり、図６は第１露出芯線部２３と第２露出芯線部３３との接合後の状態を示す模式図である。図５に示すように、接合前の状態（但し、２つの接合用ヘッド５０、５２により加圧された状態）においては、第２露出芯線部３３の素線３２ａが並列状に散開し、その上下両側に各直線部２３ｂ、２３ｃの素線２２ａが並列状に散開している。第２露出芯線部３３の各素線３２ａ、各直線部２３ｂ、２３ｃの各素線２２ａは、単層状態で散開していてもよいし、多層状態で散開していてもよい。そして、第１露出芯線部２３と第２露出芯線部３３とを接合すると、第２露出芯線部３３の各素線３２ａ同士は一体的に接合され、各直線部２３ｂ、２３ｃのそれぞれの素線２２ａ同士も一体的に接合される。同時に、第２露出芯線部３３と各直線部２３ｂ、２３ｃとが異種金属間接合される。
【００４２】
これにより、上記複数の電線の集合体１０を製造することができる。
【００４３】
ところで、近年、車両軽量化等の観点から、アルミニウム製又はアルミニウム合金製の芯線を用いた電線（以下、単に銅電線という）の普及が進んでいる。もっとも、銅製又は銅合金製を用いた電線（以下、単にアルミ電線という）も依然として採用されており、このため、同一の車両において、銅電線とアルミ電線とが併用されており、銅電線とアルミ電線とを直接接続する必要性が生じている。
【００４４】
ここで、接合方法として超音波溶接を想定した場合、銅又は銅合金とアルミニウム又はアルミニウム合金との接合強度は弱くなる傾向にある。
【００４５】
そこで、上記実施形態において、第１芯線２２と第２芯線３２の一方を銅製又は銅合金製とし、他方をアルミニウム製又はアルミニウム合金製とし、第１露出芯線部２３と第２露出芯線部３３とを超音波溶接する構成とすれば、銅電線及びアルミ電線とを簡易に強い接合強度で接続することが可能となる。
【００４６】
なお、アルミニウム又はアルミニウム合金は、銅又は銅合金よりも引っ張り強度が小さい。超音波溶接時の振動がアルミニウム製又はアルミニウム合金製の芯線に直接作用してダメージが加わることを抑制するためには、上記第１芯線２２が銅製又は銅合金製であり、第２芯線３２がアルミニウム製又はアルミニウム合金製であることが好ましい。
【００４７】
もちろん、上記実施形態は、第１芯線２２と第２芯線３２の材質、接合方法に拘らず、第１露出芯線部２３と第２露出芯線部３３とを簡易に強く接合強度で接続する技術として適用可能である。第１芯線２２と第２芯線３２とは同種の金属であってもよいし、接合方法は、抵抗溶接等であってもよい。
【００４８】
｛変形例｝
上記実施形態では、第１露出芯線部２３をＵ字状に曲げて第１露出芯線部２３の間に第２露出芯線部３３を配設した例で説明したが、そのような構成に限られない。
【００４９】
例えば、図７の第１変形例に示す複数の電線の集合体１１０のように、第１露出芯線部２３に対応する第１露出芯線部１２３を、第２露出芯線部３３の周りで螺旋状に曲げた状態で、第１露出芯線部１２３と第２露出芯線部３３とを接合してもよい。この場合、第２露出芯線部３３の周囲全体で、第１露出芯線部１２３と第２露出芯線部３３とが接合されている必要はない。第１露出芯線部１２３と第２露出芯線部３３とは、それらを挟む２方向から接合されていてもよいし、それらの周囲の３つ以上の方向から接合されていてもよい。
【００５０】
この変形例によると、第１露出芯線部１２３が第２露出芯線部３３に巻付いているため、それらの接合強度をより向上できる。
【００５１】
また、例えば、図８の第２変形例に示す複数の電線の集合体２１０では、第１露出芯線部２３に対応する第１露出芯線部２２３を、並列状に配設された３つ以上の直線部２２３ｂを含むように複数の曲げ返し部２２３ａで曲げられた形状に形成している。ここでは、第１露出芯線部２２３を３箇所の曲げ返し部２２３ａでＵ字状に曲げ、並列状に並ぶ４つの直線部２２３ｂを形成している。また、第２露出芯線部３３に対応する第２露出芯線部２３３を、並列状に配設された３つ以上の直線部２３３ｂを含むように複数の曲げ返し部２３３ａで曲げられた形状に形成している。ここでは、第２露出芯線部２３３を３箇所の曲げ返し部２３３ａでＵ字状に曲げ、並列状に並ぶ４つの直線部２３３ｂを形成している。
【００５２】
そして、第１露出芯線部２２３の４つの直線部２２３ｂと第２露出芯線部２３３の４つの直線部２３３ｂとを編目状に交差させると共に、第１露出芯線部２２３の各直線部２２３ｂのうちの少なくとも２つの間に第２露出芯線部２３３の各直線部２３３ｂのうちの少なくとも１つが配設された状態で、第１露出芯線部２２３と第２露出芯線部２３３とが接合されている。ここでは、第１露出芯線部２２３の各直線部２２３ｂを、それが並ぶ方向において、交互に第２露出芯線部２３３の各直線部２３３ｂの並列体の上下に配設している。換言すれば、第１露出芯線部２２３の各直線部２２３ｂの隣合うもの間に、第２露出芯線部２３３の各直線部２３３ｂの並列体が配設されている。これにより、複数の直線部２２３ｂと複数の直線部２３３ｂとが編目状に配列され、複数の直線部２２３ｂと複数の直線部２３３ｂとが、各交点で上記実施形態と同様に、超音波溶接等によって接合されている。
【００５３】
この例によると、第１露出芯線部２２３と第２露出芯線部２３３とを交差させた状態で複数箇所で接合できるため、それらの接合強度をより向上できる。
【００５４】
図９〜図１１に示す第３変形例に係る複数の電線の集合体３１０では、上記実施形態を前提として、第２露出芯線部３３に対応する第２露出芯線部３３３が、曲げ返し部３３３ａと当該曲げ返し部３３３ａに連なる２つの直線部３３３ｂ、３３３ｃとを含む形状に曲げられている。なお、曲げ返し部３３３ａは、第１露出芯線部２３の直線部２３ｂを側方に迂回できるように、直線部３３３ｂの延在方向に沿って見た場合に、直線部３３３ｂ、３３３ｃを結ぶ方向に対して直交する方向に外向き凸となるように湾曲している（図１０参照）。
【００５５】
そして、第２露出芯線部３３３の２つの直線部３３３ｂ、３３３ｃのうち基端側の直線部３３３ｂが第１露出芯線部２３の２つの直線部２３ｂ、２３ｃに挟まれている。また、第２露出芯線部３３３の２つの直線部３３３ｂ、３３３ｃのうち先端側の直線部３３３ｃが第１露出芯線部２３の基端側の直線部２３ｂに対して先端側の直線部２３ｃの反対側に配設され、第２露出芯線部３３３の２つの直線部３３３ｂ、３３３ｃが第１露出芯線部２３の基端側の直線部２３ｂを挟んでいる。この状態で、第１露出芯線部２３と第２露出芯線部３３３とが接合されている。
【００５６】
この例によると、第１露出芯線部２３と第２露出芯線部３３３とは、３つの直線状領域で接合される。また、このため、それらの接合強度をより向上できる。
【００５７】
上記実施形態及び各変形例では、２つの電線の露出芯線部同士を接合する例で説明したが、より多数の電線の露出芯線部同士が接合されてもよい。例えば、第１露出芯線部２３、１２３、２２３に他の電線の露出芯線部が束ねられた状態で曲げられて、第２露出芯線部３３、２３３、３３３に接合されていてもよいし、また、第１露出芯線部２３、１２３、２２３が、第２露出芯線部３３、２３３、３３３に他の電線の露出芯線部を束ねたものに接合されていてもよい。
【００５８】
また、上記実施形態及び各変形例では、２つの電線の端部に露出する露出芯線部同士を接合する例で説明したが、一方又は他方の露出芯線部が電線の延在方向中間部で露出するものであってもよい。
【００５９】
なお、上記各実施形態及び各変形例で説明した各構成は、相互に矛盾しない限り適宜組合わせることができる。
【００６０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６１】
１０、１１０、２１０、３１０    集合体
２０    第１電線
２２    第１芯線
２３、１２３、２２３    第１露出芯線部
２３ａ、２２３ａ    曲げ返し部
２３ｂ、２３ｃ、２２３ｂ    直線部
２４    第１被覆部
３０    第２電線
３２    第２芯線
３３、２３３、３３３    第２露出芯線部
３４    第２被覆部
２３３ａ、３３３ａ    曲げ返し部
２３３ｂ、３３３ｂ、３３３ｃ    直線部
【図１】
2017076497.tif 000003
【図２】
2017076497.tif 000004
【図３】
2017076497.tif 000005
【図４】
2017076497.tif 000006
【図５】
2017076497.tif 000007
【図６】
2017076497.tif 000008
【図７】
2017076497.tif 000009
【図８】
2017076497.tif 000010
【図９】
2017076497.tif 000011
【図１０】
2017076497.tif 000012
【図１１】
2017076497.tif 000013